(57)【要約】【課題】  キャップの開封履歴を容易に確認可能にするバージンシールを提供すること。【解決手段】  バージンシール１０であって、切断誘導部２０を構成するように相隣る切れ目２１、２２のそれぞれが、キャップ２を開封するキャップ回転進み方向に斜交してキャップ２の側から容器本体３の側に延びる斜線２１Ａ、２２Ａであって、この斜線２１Ａ、２２Ａのキャップ２の側の一端が容器本体３の側の他端よりも該キャップ回転進み方向の後方側に位置する斜線２１Ａ、２２Ａを有する形態からなり、切断誘導部２０の切れ目２１、２２が設けられる範囲のシール本体１１の裏面のうち、少なくとも上記相隣る切れ目２１、２２が設けられる範囲のシール本体１１の裏面を糊抑え部１２としてなるもの。【選択図】  図１
2010042817.tif 000002
【特許請求の範囲】
【請求項１】
複数の切れ目を断続的に配置した切断誘導部が設けられ、裏面に粘着剤が塗布されているシール本体を有し、
シール本体はキャップと容器本体の境界に跨って貼着され、シール本体の切断誘導部がキャップと容器本体の境界に沿うように設けられ、
容器本体に対し回動して開封されるキャップのバージンシールであって、
切断誘導部を構成するように相隣る切れ目のそれぞれが、キャップを開封するキャップ回転進み方向に斜交してキャップの側から容器本体の側に延びる斜線であって、この斜線のキャップの側の一端が容器本体の側の他端よりも該キャップ回転進み方向の後方側に位置する斜線を有する形態からなり、
切断誘導部の切れ目が設けられる範囲のシール本体の裏面のうち、少なくとも上記相隣る切れ目が設けられる範囲のシール本体の裏面を糊抑え部としてなるバージンシール。
【請求項２】
前記相隣る切れ目が離れている請求項１に記載のバージンシール。
【請求項３】
前記相隣る切れ目の少なくとも一の切れ目が、当該切れ目の前記斜線に交差する補助線であって、当該切れ目に相隣る他の切れ目に近づく方向に延びる補助線を有する形態からなる請求項１又は２に記載のバージンシール。
【発明の詳細な説明】
【技術分野】
【０００１】
本発明は包装容器におけるキャップのバージンシールに関する。
【背景技術】
【０００２】
従来、店頭で、包装容器のキャップの不正な開封を防止するバージンシール（改竄防止ラベル）として、特許文献１に記載のものがある。
【０００３】
特許文献１に記載の改竄防止ラベルシールは、容器本体に対して螺動して開封可能にされるネジ式キャップの改竄防止ラベルシールであって、シール本体はキャップと容器本体の境界に跨って貼着され、シール本体の切断誘導部（ミシン目）がキャップと容器本体の境界に沿うように設けられる。ここで、切断誘導部はキャップを開封するキャップ回転進み方向に沿うシール本体の切断開始端部となる後方縁部から切断終了端部となる前方縁部の全域に設けられる。尚、切断誘導部を構成する切れ目は、キャップ回転進み方向に平行をなす直線状のミシン目からなる。
【０００４】
更に、特許文献１に記載の改竄防止ラベルシールは、シール本体の外周縁部の複数か所に、改竄防止用の切込み部を設けている。
【０００５】
このような従来の改竄防止ラベルシールにあっては、使用者が容器を開封し、内容物を使用しようとする場合には、キャップを容器本体に対して螺動することにより、キャップを外すことになる。このとき、シール本体は切断誘導部の切れ目に沿って破断し、キャップ側に貼着された上側シール片と容器本体側に貼着された下側シール片とに分かれる。
【０００６】
他方、容器を不正に開封して内容物に改竄を加えようとする場合には、改竄者はシール本体をキズつけることなく剥がすことを試みる。このとき、改竄者がシール本体を剥がそうとして、シール本体の外周縁部から剥がすことを試みると、外周縁部に設けてある改竄防止用の切込み部が破断する。シール本体の外周縁部の破断の痕跡が一目で不正な開封の履行を知らせるものになる。
【０００７】
また、特許文献２には、改竄防止用のラベルシールの破封用ミシン目の形状として、直線状に断続するミシン目のほか、ラベル破断時の破断線の乱れやけばだちを強調するために、破断するミシン目を破断線方向に対し１つ置きに横方向にずらす、各ミシン目を破断方向に対して傾斜させる、Ｖ字型と逆Ｖ字型を破断方向に対して交互に反復させる、ことが記載されている。
【特許文献１】特開2006-243483
【特許文献２】実開昭63-79364
【発明の開示】
【発明が解決しようとする課題】
【０００８】
しかしながら、特許文献１に記載の改竄防止ラベルシールにあっては、キャップを容器本体に対して螺動して開封するとき、切断誘導部はキャップ回転進み方向に沿うシール本体の後方縁部から前方縁部の全域に設けられており、シール本体は切断誘導部の切れ目に沿ってキャップ回転進み方向に沿う一直線状にきれいに切断されて上下のシール片に分かれる。上下のシール片の切断面は直線状になる。
【０００９】
このため、改竄者がキャップを上述の如くに開封した後、キャップをもとの閉じ位置に戻すと、キャップ側の上側シール片と容器本体側の下側シール片とがそれらの直線状切断面をきれいに合致させる。このような上下のシール片はあたかも単一の切断されていないシール本体を呈する如くになり、キャップの開封履歴を一目で察知することを困難にする。また、特許文献２に記載の破封用ミシン目は、ミシン目の裏面に糊抑え部を設けているが、上下のシール片が合致するため、一目で開封履歴を察知するには十分ではない。
【００１０】
本発明の課題は、キャップの開封履歴を容易に確認可能にするバージンシールを提供することにある。
【課題を解決するための手段】
【００１１】
請求項１の発明は、複数の切れ目を断続的に配置した切断誘導部が設けられ、裏面に粘着剤が塗布されているシール本体を有し、シール本体はキャップと容器本体の境界に跨って貼着され、シール本体の切断誘導部がキャップと容器本体の境界に沿うように設けられ、容器本体に対し回動して開封されるキャップのバージンシールであって、切断誘導部を構成するように相隣る切れ目のそれぞれが、キャップを開封するキャップ回転進み方向に斜交してキャップの側から容器本体の側に延びる斜線であって、この斜線のキャップの側の一端が容器本体の側の他端よりも該キャップ回転進み方向の後方側に位置する斜線を有する形態からなり、切断誘導部の切れ目が設けられる範囲のシール本体の裏面のうち、少なくとも上記相隣る切れ目が設けられる範囲のシール本体の裏面を糊抑え部としてなるようにしたものである。
【発明を実施するための最良の形態】
【００１２】
バージンシール１０は、図１に示す如く、キャップ２が容器本体３に対し回動（本実施例では螺動）して開封される包装容器１に用いられ、キャップ２の不正な開封を防止する。
【００１３】
バージンシール１０は、プラスチックフィルム、紙等からなるシール本体１１の裏面の概ね全面に粘着剤が塗布され、その裏面の後述する糊抑え部１２を除く概ね全面を粘着剤層として用いられる。シール本体１１を構成するプラスチックフィルムとしては、例えばＰＥ（ポリエチレン）、ＰＰ（ポリプロピレン）、ＰＥＴ（ポリエチレンテレフタレート）等を用いることができる。また、シール本体１１は、紙、パルプ類を使用することもできるが、粘着剤層を介して包装容器１に貼付して使用されるため、包装容器や粘着剤との兼ね合いでプラスチックフィルムであることが好ましい。シール本体１１の裏面に塗布される粘着剤としては、例えばアクリル系粘着剤等を用いることができる。
【００１４】
バージンシール１０は、シール本体１１に、複数の切れ目２０Ａ、２１、２２・・・を一直線状に断続的に配置した切断誘導部２０を設ける。バージンシール１０は、キャップ２と容器本体３の境界に跨ってシール本体１１を貼着されて用いられ、シール本体１１の切断誘導部２０がキャップ２と容器本体３の境界に沿うように設けられる。使用者が容器１を開封し、内容物を使用しようとする場合には、キャップ２を容器本体３に対して螺動することにより、キャップ２を外すことになる。このとき、シール本体１１は切断誘導部２０の切れ目２０Ａ、２１、２２・・・に沿って破断し、キャップ２側に貼着された上側シール片１１ａと容器本体３側に貼着された下側シール片１１ｂ（図３）とに分かれる。
【００１５】
バージンシール１０は、シール本体１１の外周縁部の複数か所に、改竄防止用切れ目３０を設けている。容器１の内容物に改竄を加えようとする改竄者がシール本体１１を剥がそうとして、シール本体１１の外周縁部から剥がすことを試みると、外周縁部に設けてある改竄防止用切れ目３０が破断する。シール本体１１の外周縁部の破断の痕跡が一目で不正な開封の履行を知らせるものになる。
【００１６】
しかるに、バージンシール１０は、改竄者がシール本体１１を上述の如くに剥がすことなく、キャップ２を一旦開封した後にキャップ２をもとの閉じ位置に戻したとしても、キャップ２の開封履歴を一目で察知できるように、以下の構成を具備する。
【００１７】
切断誘導部２０はキャップ２を回転するキャップ回転進み方向Ｎに沿うシール本体１１の概ね一直線上に、切断開始端部となる後方縁部Ｒから中途部又は前方縁部Ｆに渡るように設けられる。キャップ２を開封した後のシール本体１１（上側シール片１１ａと下側シール片１１ｂ）をキャップ２と容器本体３から剥がし易くするためには、切断誘導部２０は後方縁部Ｒから前方縁部Ｆにまで設けることが好ましい。
【００１８】
切断誘導部２０は、キャップ回転進み方向Ｎに沿う切断誘導始端部となる最後部の貫通状切れ目２０Ａをシール本体１１の後方縁部Ｒに交差配置させている。切れ目２０Ａは、好適には、使用者がキャップ２に加えるキャップ回転力に対し、シール本体１１が大きな抵抗なく切断開始し得るように、キャップ回転進み方向Ｎに平行に沿う直線状（マイナス状）の形態とする。
【００１９】
切断誘導部２０は、キャップ回転進み方向Ｎに沿って、上述の最後部の切れ目２０Ａに後続する２個以上の貫通状切れ目２１、２２・・・をシール本体１１の中途部又は前方縁部Ｆにまで備える。
【００２０】
切断誘導部２０を構成するように相隣る切れ目２１、２２・・・のそれぞれは、キャップ２を開封するキャップ回転進み方向Ｎに斜交してキャップ２の側から容器本体３の側に延びる斜線２１Ａ、２２Ａ・・・であって、この斜線２１Ａ、２２Ａ・・・のキャップ２の側の一端（上端）が容器本体３の側の他端（下端）よりも該キャップ回転進み方向Ｎの後方側に位置する斜線２１Ａ、２２Ａ・・・を有する形態からなる。
【００２１】
このとき、相隣る切れ目２１、２２・・・は、当該切れ目２１、２２・・・の上記斜線２１Ａ、２２Ａ・・・に交差する補助線２１Ｂ、２２Ｂであって、当該切れ目２１、２２・・・に相隣る他の切れ目２１、２２・・・に近づく方向に延びる補助線２１Ｂ、２２Ｂを有する形態からなることが好ましい。斜線２１Ａ、２２Ａ・・・は、キャップ回転進み方向Ｎに対して垂直方向に斜線Ａを外接する幅方向の大きさが同じ幅であることが好ましく、更に相隣る切れ目２１、２２・・・が、同じ幅であることが好ましい。
【００２２】
また、相隣る切れ目２１、２２・・・は、互いに間隔Ｌを介して離れている。間隔Ｌは、斜線２１Ａ、２２Ａ・・・または相隣る切れ目２１、２２の幅より狭いことが好ましい。このとき、相隣る切れ目２１、２２の間で、前方側に位置する切れ目２２のその斜線２２Ａのキャップ２の側の一端（上端）から後方側に位置する切れ目２１の補助線２１Ｂに至る距離と、後方側に位置する切れ目２１のその斜線２１Ａの容器本体３の側の他端（下端）から前方側に位置する切れ目２２の補助線２２Ｂに至る距離のそれぞれは、相隣る切れ目２１、２２の上下の切断距離（後述する切断ラインＰｆ、Ｐｒ）になる。
【００２３】
本実施例では、切断誘導部２０を構成する切れ目２１、２２・・・を全て同一のＸ字状の形態（図４（Ａ）に示す形態）としている。従って、切れ目２１（他の切れ目２２・・・も同じ）は、斜線２１Ａに交差する補助線２１Ｂを、斜線２１Ａの中間点に斜交してキャップ２の側から容器本体３の側に延びる斜線であって、この斜線のキャップ２の側の一端（上端）が容器本体３の側の他端（下端）よりもキャップ回転進み方向Ｎの前方側に位置する斜線からなるものとしている。
【００２４】
切断誘導部２０の切れ目２０Ａ、２１、２２・・・が設けられる範囲のシール本体１１の裏面のうち、上述の斜線２１Ａ、２２Ａ・・・を有して相隣る切れ目２１、２２・・・が設けられる範囲のシール本体１１の裏面を糊抑え部１２とする。糊抑え部１２は少なくとも後述する切離片１１ｃ（シール本体１１の欠落部Ｋ）に対応する範囲に設けられれば良い。糊抑え部１２は、シール本体１１の裏面に塗布された粘着剤の上に、糊抑え剤を塗布することにより形成され、この部分の粘着力を喪失させる。
【００２５】
本実施例によれば以下の作用効果を奏する。
（請求項１）
(a)バージンシール１０において、シール本体１１に設けられて切断誘導部２０を構成するように相隣る切れ目２１、２２のそれぞれが、キャップ２を開封するキャップ回転進み方向Ｎに斜交してキャップ２の側から容器本体３の側に延びる斜線２１Ａ、２２Ａであって、この斜線２１Ａ、２２Ａのキャップ２の側の一端（上端）が容器本体３の側の他端（下端）よりも該キャップ回転進み方向Ｎの後方側に位置する斜線２１Ａ、２２Ａを有する形態からなる。このようなシール本体１１が貼着された容器１のキャップ２を容器本体３に対して回動して開封しようとし、キャップ２に回転力を付与すると、シール本体１１は切断誘導部２０の切れ目２０Ａ、２１、２２・・・に沿って破断され、キャップ２の側に貼着された上側シール片１１ａと容器本体１１Ｂの側に貼着された下側シール片１１ｂとに分離され、キャップ２を開封可能にする。
【００２６】
このとき、切断誘導部２０を構成する上述の各切れ目２１、２２は、図２（Ａ）に示す如く、その斜線２１Ａ、２２Ａのキャップ２の側の一端（上端）から後方向き（矢印ｒ）に引裂開始され、その斜線２１Ａ、２２Ａの容器本体３の側の他端（下端）から前方向き（矢印ｆ）に引裂開始される。そして、相隣る上述の切れ目２１、２２の間で、図２（Ｂ）に示す如く、前方側に位置する切れ目２２のその斜線２２Ａのキャップ２の側の一端（上端）から引裂開始されて後方向きに延びる切断ラインＰｒが後方側に位置する切れ目２１（補助線２１Ｂ）に到達するとともに、後方側に位置する切れ目２１のその斜線２１Ａの容器本体３の側の他端（下端）から引裂開始されて前方向きに延びる切断ラインＰｆが前方側に位置する切れ目２２（補助線２２Ｂ）に到達すると、シール本体１１は切断誘導部２０の各切れ目２０Ａ、２１、２２・・・に沿ってキャップ回転進む方向Ｎに沿う前方縁部Ｆから後方縁部Ｒまで破断されるものになる。
【００２７】
(b)前述(a)でシール本体１１が前方縁部Ｆから後方縁部Ｒまで破断されたとき、相隣る前後の切れ目２１、２２の間で、前方側に位置する切れ目２２と後方側に位置する切れ目２１は、図２（Ｂ）に示す如く、キャップ２の側で切断ラインＰｒにより連続され、かつ容器本体３の側で切断ラインＰｆにより連続される。従って、シール本体１１内で相隣る前後の切れ目２１、２２に挟まれていた部分は、それらの切れ目２１、２２とそれらの切断ラインＰｒ、Ｐｆによりシール本体１１から切離される切離片１１ｃになる（図２（Ｂ））。他方、この相隣る切れ目２１、２２が設けられる範囲のシール本体１１の裏面は糊抑え部１２とされ、この範囲内にあった上述の切離片１１ｃはキャップ２と容器本体３にもともと貼着されていない。これにより、シール本体１１から上述の如くに切離された切離片１１ｃはシール本体１１及び容器１の側から剥落し、シール本体１１には切離片１１ｃが欠落した欠落部Ｋを生ずる（図２（Ｂ））。
【００２８】
(c)前述(a)で一端開封したキャップ２をもとの位置に戻したとき、図３に示す如く、キャップ２の側の上側シール片１１ａの切断面と容器本体３の側の下側シール片１１ｂの切断面とが仮に合致したとしても、シール本体１１は上述(b)の欠落部Ｋの発生によりキャップ２の開封履歴を一目で察知させる状況を呈する。
【００２９】
（請求項２）
(d)相隣る切れ目２１、２２が離れているから、シール本体１１はそれらの切れ目２１、２２の間の切れ目となっていなかった部分を必ず破断し、シール本体１１の破断の痕跡を確実に残し、キャップ２の開封履歴を確実に察知させる状況を呈する。
【００３０】
（請求項３）
(e)前述(a)の相隣る切れ目２１、２２が、当該切れ目２１、２２の斜線２１Ａ、２２Ａに交差する補助線２１Ｂ、２２Ｂであって、当該切れ目２１、２２に相隣る他の切れ目２１、２２に近づく方向に延びる補助線２１Ｂ、２２Ｂを有する形態からなる。従って、相隣る前述の切れ目２１、２２の間で、前方側に位置する切れ目２２のその斜線２２Ａのキャップ２の側の一端（上端）から引裂開始されて後方向きに延びる切断ラインＰｒが後方側に位置する切れ目２１の補助線２１Ｂに速やかに到達し、或いは後方側に位置する切れ目２１のその斜線２１Ａの容器本体３の側の他端（下端）から引裂開始されて前方向きに延びる切断ラインＰｆが前方側に位置する切れ目２２の補助線２２Ｂに速やかに到達し、シール本体１１の破断並びに切離片１１ｃの形成、ひいてはシール本体１１における欠落部Ｋの発生を迅速容易にする。ここで、後方向きに延びる切断ラインＰｒと前方向きに延びる切断ラインＰｆとの距離が等しいことが、特に好ましい。
【００３１】
切断誘導部２０の相隣る切れ目２１、２２・・・は、前述の如くの斜線２１Ａ、２２Ａ・・・を有するものであれば良く、前述した図４（Ａ）に示した形態のものに限らず、例えば図４（Ｂ）〜（Ｅ）に示した切れ目４１（斜線４１Ａ）、切れ目５１（斜線５１Ａ、補助線５１Ｂ、５１Ｃ）、切れ目６１（斜線６１Ａ、補助線６１Ｂ、６１Ｃ）、切れ目７１（斜線７１Ａ、補助線７１Ｂ、７１Ｃ）等のいずれかの形態のもの等も採用できる。従って、シール本体１１として、前述した図１に示したもの以外に、例えば図５〜図９の変形例のもの等も採用できる。特に、各斜線２１Ａ、２２Ａ・・・の中間点が切断誘導始端部の貫通状切れ目２０Ａからキャップ回転進む方向Ｎに直線状に位置するか、切断誘導線２０の垂直方向において各斜線２１Ａ等のキャップ側の一端(上端)と容器本体側の他端(下端)が同じ高さであることが好ましい。
【００３２】
図５のシール本体１１は、図１のシール本体１１において切断誘導部２０を構成する切れ目２１、２２・・・を、図４（Ｂ）の形態の貫通状切れ目４１、４２・・・に変更したものである。切れ目４１、４２は、切れ目２１、２２の斜線２１Ａ、２２Ａと同様の斜線４１Ａ、４２Ａのみからなる。シール本体１１が破断されるとき、前方側に位置する切れ目４２の斜線４２Ａのキャップ２の側の一端（上端）から後方向きに延びる切断ラインＰｒが後方側の切れ目４１に到達するとともに、後方側に位置する切れ目４１の斜線４１Ａの容器本体３の側の他端（下端）から前方向きに延びる切断ラインＰｆが前方側の切れ目４２に到達する。これにより、相隣る前後の切れ目４１、４２の間で、それらの切れ目４１、４２とそれらの切断ラインＰｒ、Ｐｆによりシール本体１１から切離される切離片１１ｃが形成され、シール本体１１にはこの切離片１１ｃが剥落して欠落した欠落部Ｋを生ずる。
【００３３】
図６のシール本体１１は、図１のシール本体１１において切断誘導部２０を構成する切れ目２１、２２・・・を、図４（Ｃ）の形態の貫通状切れ目５１、５２・・・に変更したものである。切れ目５１、５２は、切れ目２１、２２の斜線２１Ａ、２２Ａと同様の斜線５１Ａ、５２Ａを有するとともに、前方側に位置する切れ目５１、５２に近づく方向に延びる補助線５１Ｂ、５２Ｂ、後方側に位置する切れ目５１、５２に近づく方向に延びる補助線５１Ｃ、５２Ｃを有する。シール本体１１が破断されるとき、前方側に位置する切れ目５２の斜線５２Ａのキャップ２の側の一端（上端）から後方向きに延びる切断ラインＰｒが後方側の切れ目５１（補助線５１Ｂ）に到達するとともに、後方側に位置する切れ目５１の斜線５１Ａの容器本体３の側の他端（下端）から前方向きに延びる切断ラインＰｆが前方側の切れ目５２（補助線５２Ｃ）に到達する。これにより、相隣る前後の切れ目５１、５２の間で、それらの切れ目５１、５２とそれらの切断ラインＰｒ、Ｐｆによりシール本体１１から切離される切離片１１ｃが形成され、シール本体１１にはこの切離片１１ｃが剥落して欠落した欠落部Ｋを生ずる。
【００３４】
図７のシール本体１１は、図１のシール本体１１において切断誘導部２０を構成する切れ目２１、２２・・・を、図４（Ｄ）の形態の貫通状切れ目６１、６２・・・に変更したものである。切れ目６１、６２は、切れ目２１、２２の斜線２１Ａ、２２Ａと同様の斜線６１Ａ、６２Ａを有するとともに、前方側に位置する切れ目６１、６２に近づく方向に延びる補助線６１Ｂ、６２Ｂ、後方側に位置する切れ目６１、６２に近づく方向に延びる補助線６１Ｃ、６２Ｃを有する。シール本体１１が破断されるとき、前方側に位置する切れ目６２の斜線６２Ａのキャップ２の側の一端（上端）から後方向きに延びる切断ラインＰｒが後方側の切れ目６１（補助線６１Ｂ）に到達するとともに、後方側に位置する切れ目６１の斜線６１Ａの容器本体３の側の他端（下端）から前方向きに延びる切断ラインＰｆが前方側の切れ目６２（補助線６２Ｃ）に到達する。これにより、相隣る前後の切れ目６１、６２の間で、それらの切れ目６１、６２とそれらの切断ラインＰｒ、Ｐｆによりシール本体１１から切離される切離片１１ｃが形成され、シール本体１１にはこの切離片１１ｃが剥落して欠落した欠落部Ｋを生ずる。
【００３５】
図８のシール本体１１は、図１のシール本体１１において切断誘導部２０を構成する切れ目２１、２２・・・を、図４（Ｅ）の形態の貫通状切れ目７１、７２・・・に変更したものである。切れ目７１、７２は、切れ目２１、２２の斜線２１Ａ、２２Ａと同様の斜線７１Ａ、７２Ａを有するとともに、前方側に位置する切れ目７１、７２に近づく方向に延びる補助線７１Ｂ、７２Ｂ、後方側に位置する切れ目７１、７２に近づく方向に延びる補助線７１Ｃ、７２Ｃを有する。シール本体１１が破断されるとき、前方側に位置する切れ目７２の斜線７２Ａのキャップ２の側の一端（上端）から後方向きに延びる切断ラインＰｒが後方側の切れ目７１（補助線７１Ｂ）に到達するとともに、後方側に位置する切れ目７１の斜線７１Ａの容器本体３の側の他端（下端）から前方向きに延びる切断ラインＰｆが前方側の切れ目７２（補助線７２Ｃ）に到達する。これにより、相隣る前後の切れ目７１、７２の間で、それらの切れ目７１、７２とそれらの切断ラインＰｒ、Ｐｆによりシール本体１１から切離される切離片１１ｃが形成され、シール本体１１にはこの切離片１１ｃが剥落して欠落した欠落部Ｋを生ずる。
【００３６】
図９のシール本体１１は、図１のシール本体１１において切断誘導部２０を構成する切れ目２１、２２・・・を、図４（Ａ）の形態の貫通孔状切れ目８１、８３・・・と図４（Ｄ）の形態の貫通孔状切れ目８２、８４・・・とが交互に並置されるように変更したものである。切れ目８１、８３・・・は、切れ目２１における斜線２１Ａ、補助線２１Ｂと同様の斜線８１Ａ、８３Ａ、補助線８１Ｂ、８３Ｂを有する。切れ目８２、８４・・・は、切れ目６１における斜線６１Ａ、補助線６１Ｂ、６１Ｃと同様の斜線８２Ａ、８４Ａ、補助線８２Ｂ、８２Ｃ、８４Ｂ、８４Ｃを有する。シール本体１１が破断されるとき、相隣る切れ目８１と切れ目８２の間では、前方側に位置する切れ目８２の斜線８２Ａのキャップ２の側の一端（上端）から後方向きに延びる切断ラインＰｒが後方側の切れ目８１（補助線８１Ｂ）に到達するとともに、後方側に位置する切れ目８１の斜線８１Ｂの容器本体３の側の他端（下端）から前方向きに延びる切断ラインＰｆが前方側の切れ目８２（補助線８２Ｃ）に到達する。これにより、相隣る前後の切れ目８１、８２の間で、それらの切れ目８１、８２とそれらの切断ラインＰｒ、Ｐｆによりシール本体１１から切離される切離片１１ｃが形成され、シール本体１１にはこの切離片１１ｃが剥落して欠落した欠落部Ｋを生ずる。また、相隣る切れ目８２と切れ目８３の間では、前方側に位置する切れ目８３の斜線８３Ａのキャップ２の側の一端（上端）から後方向きに延びる切断ラインＰｒが後方側の切れ目８２（補助線８２Ｂ）に到達するとともに、後方側に位置する切れ目８２の斜線８２Ａの容器本体３の側の他端（下端）から前方向きに延びる切断ラインＰｆが前方側の切れ目８３（補助線８３Ｂ）に到達する。これにより、相隣る前後の切れ目８２、８３の間で、それらの切れ目８２、８３とそれらの切断ラインＰｒ、Ｐｆによりシール本体１１から切離される切離片１１ｃが形成され、シール本体１１にはこの切離片１１ｃが剥落して欠落した欠落部Ｋを生ずる。
【００３７】
即ち、切断誘導部２０を構成するように相隣る切れ目２１、２２・・・は、上述の図９の切れ目８１、８２・・・の如くに、異なる形態の切れ目を並置してなるものでも良い。
【図面の簡単な説明】
【００３８】
【図１】図１はバージンシールの未破断状態を示す模式図である。
【図２】図２は切断誘導部の切れ目の引裂状態を示す模式図である。
【図３】図３はバージンシールの破断状態を示す模式図である。
【図４】図４は切断誘導ラインの切れ目の形態を示す模式図である。
【図５】図５はバージンシールの変形例を示す模式図である。
【図６】図６はバージンシールの変形例を示す模式図である。
【図７】図７はバージンシールの変形例を示す模式図である。
【図８】図８はバージンシールの変形例を示す模式図である。
【図９】図９はバージンシールの変形例を示す模式図である。
【符号の説明】
【００３９】
１  容器
２  キャップ
３  容器本体
１０  バージンシール
１１  シール本体
１１ａ  上側シール片
１１ｂ  下側シール片
１１ｃ  切離片
１２  糊抑え部
２０  切断誘導部
２１、２２、４１、４２、５１、５２、６１、６２、７１、７２、８１、８２、８３、８４  切れ目
２１Ａ、２２Ａ、４１Ａ、４２Ａ、５１Ａ、５２Ａ、６１Ａ、６２Ａ、７１Ａ、７２Ａ、８１Ａ、８２Ａ、８３Ａ、８４Ａ  斜線
２１Ｂ、２２Ｂ、５１Ｂ、５２Ｂ、５１Ｃ、５２Ｃ、６１Ｂ、６２Ｂ、６１Ｃ、６２Ｃ、７１Ｂ、７２Ｂ、７１Ｃ、７２Ｃ、８１Ｂ、８２Ｂ、８３Ｂ、８４Ｂ、８１Ｃ、８２Ｃ、８３Ｃ、８４Ｃ  補助線
【図１】
2010042817.tif 000003
【図２】
2010042817.tif 000004
【図３】
2010042817.tif 000005
【図４】
2010042817.tif 000006
【図５】
2010042817.tif 000007
【図６】
2010042817.tif 000008
【図７】
2010042817.tif 000009
【図８】
2010042817.tif 000010
【図９】
2010042817.tif 000011